(57)【特許請求の範囲】
【請求項１】
対象物品を壁面若しくは支柱に保持するホルダーであって、
壁面若しくは支柱に直接固定されるベースフレーム（１）と、対象物品を固定支持する支持フレーム（２）と、対象物品を固定支持したままで支持フレーム（２）をベースフレーム（１）上で傾動可能に連結して該対象物品のベースフレーム（１）に対する角度の変更を可能とする角度調整機構（３）とを備え、
前記角度調整機構（３）は、一端がベースフレーム（１）につながっており他端が枢軸（４）を介して支持フレーム（２）に連結し、初期状態で支持フレーム（２）を、べースフレーム（１）と平行な姿勢に保持する一方、支持フレーム（２）の壁面又は支柱へ向かう押圧にて対象物品を固定支持したままで該支持フレーム（２）を枢軸（４）を中心にしてベースフレーム（１）に対して傾動させるメインアーム（３ａ）と、枢軸（５）（６）を介してベースフレーム（１）及び支持フレーム（２）のそれぞれに揺動可能に連結しメインアーム（３ａ）の枢軸（４）を支点にした支持フレーム（２）の傾動にしたがい段階的に伸縮するとともにメインアーム（３ａ）にかかる荷重の一部分を負担するラチェット式のスライドアーム（３ｂ）からなる、ことを特徴とする角度調整機構を有するホルダー。
【発明の詳細な説明】
【０００１】
【発明の属する技術分野】
本発明はプラズマディスプレイ等のような大表面積を有する偏平物品を対象物としてそれを壁面あるいは支柱に保持するホルダーに関し、該対象物品を壁面あるいは支柱に保持したままで簡便な動作でもって角度調整を行うとするものである。
以下、対象物品をプラズマディスプレイとした場合を例にとって説明する。
【０００２】
【従来の技術】
プラズマディスプレイはテレビに使用されているブラウン管に代わる次世代の表示ディバイスであって、大画面であるにもかかわらず、その厚さ（奥行き）は非常に薄く、壁面に取り付けることが可能であって、居住空間の有効利用を図ることができる利点がある。
【０００３】
かかる機器は、壁掛けタイプや据え置きを可能とするスタンドタイプ、あるいは教室やホールに最適な天吊りタイプ等様々なものが提案されているが、何れのものも、取り付けるべき部分に固定する、専用の取り付け金具が必要不可欠になっている。
【０００４】
ところで、通常、この種の物品に使用される取り付け金具は、取り付ける対象物を壁面等に単に固定するものであって、使用状況に応じて対象物の向き（角度）を変えることが不可能であった。
【０００５】
この点に関しては、取り付け金具を、壁側に固定されるベースフレームと、このベースフレームに揺動可能に連結するとともに対象物を保持する可動フレームにて構成し、可動フレームから延びるアームをベースフレームに設けられた複数の開口の中から選んだ１つの開口と係合させ、それらをねじ止め連結することによって該可動フレームの傾きを、例えば０°、５°１０°というように段階的に調整する、図７に示すような構造のものも知られている。しかしながらこのタイプの取り付け金具は、可動フレームを対象物品とともに支えた状態で可動フレームの傾きを調整するものであるから、作業が大がかりとなり、調整のための時間も比較的長時間を要する不具合がある。
【０００６】
【発明が解決しようとする課題】
本発明の課題は、プラズマディスプレイのような対象物品を壁面あるいは支柱に保持したままで簡便な動作でもって迅速に角度調整を行うことができる新規なホルダーを提案するところにある。
【０００７】
【課題を解決するための手段】
本発明は、対象物品を壁面若しくは支柱に保持するホルダーであって、
壁面若しくは支柱に直接固定されるベースフレームと、対象物品を固定支持する支持フレームと、対象物品を固定支持したままで支持フレームをベースフレーム上で傾動可能に連結して該対象物品のベースフレームに対する角度の変更を可能とする角度調整機構とを備え、
前記角度調整機構は、一端がベースフレームにつながっており他端が枢軸を介して支持フレームに連結し、初期状態で支持フレームを、べースフレームと平行な姿勢に保持する一方、支持フレームの壁面又は支柱へ向かう押圧にて対象物品を固定支持したままで該支持フレームを枢軸を中心にしてベースフレームに対して傾動させるメインアームと、枢軸を介してベースフレーム及び支持フレームのそれぞれに揺動可能に連結しメインアームの枢軸を支点にした支持フレームの傾動にしたがい段階的に伸縮するとともにメインアームにかかる荷重の一部分を負担するラチェット式のスライドアームからなる、ことを特徴とする角度調整機構を有するホルダーである。
【０００８】
【発明の実施の形態】
以下、図面を参照して本発明をより具体的に説明する。
図１（ａ）（ｂ）は本発明に従うホルダーの正面および側面を示したものである。
図における番号１は壁面若しくは支柱に直接固定されるベースフレームである。このベースフレーム１にはその周りに複数の貫通口１ａが設けられていて、この貫通口１ａにねじ等の締結手段を配置して固定することができるようになっている。
【０００９】
また、２はプラズマディスプレイ等の対象物品を固定保持する支持フレームである。この支持フレーム２にはこの例ではその四隅にフック２ａを設けてあり、このフック２ａにて対象物品を引っ掛けて固定保持するようになっている。
【００１０】
また、３は角度調整機構であって、この角度調整機構３はメインアーム３ａとラチェット式のスライドアーム３ｂからなる。
【００１１】
角度調整機構３のうち、メインアーム３ａは一端がベースフレーム１につながっていて、他端が枢軸４を介して支持フレーム２に連結していて、支持フレーム２は対象物を固定支持したままで該枢軸４を軸にしてベースフレーム１に対して傾動することができる。
【００１２】
スライドアーム３ｂについては枢軸５、６を介してベースフレーム１及び支持フレーム２のそれぞれに揺動可能に連結しており、メインアームの枢軸４を支点にした支持フレーム２の傾動に従い段階的に伸縮するとともにメインアーム３ａにかかる荷重の一部分を負担するようになっている。
【００１３】
スライドアーム３ｂは例えば一定の長さを有するシースＳとこのシースＳ内でスライドするスライダーＳ１とにて構成することができるものであり、その何れか一方に直列配置になる複数の凹部を設け、もう一方に該凹部において一方向のみ（延びる方向若しは縮む方向）に係合する係合片を設けてラチェット機構を形成し、これによって支持フレーム２の任意における角度を確実に保持する。スライドアーム３ｂの凹部と係合片との係合は、スライドアーム３ａが最も伸びた状態において解除することができる。
【００１４】
上掲図１（ｂ）では、ベースフレーム１と支持フレーム２が平行に配置された状態にあり、ここにプラズマディスプレイを取り付けるとその画面は壁面と平行になるが、支持フレーム２の上端部をさらに壁面に向けて押圧すると、スライドアーム３ｂの凹部と係合片の係合が解除され、支持フレーム２が図２に示すように枢軸４を中心にして、最も傾動度合いが大きい状態（角度が最大になる）まで倒れ込むことになる。
【００１５】
ここからさらに支持フレーム２を押し上げていくと、スライドアーム３ｂの凹部が係合片と段階的に係合していき、支持フレーム２とベースフレーム１が平行になるまではどの位置で押圧動作をやめようとも、その傾動姿勢のままで支持フレーム２が保持され、簡単に角度の変更が行えることになる。
【００１６】
支持フレーム２を初期状態、すなわちベースフレーム１と平行になる姿勢に復帰させるには、スライドアーム３ｂが最も伸びた状態になるように支持フレーム２をベースフレーム１に向けて押し上げてやればよい。
【００１７】
図３に本発明に従うホルダーの斜視図を示す。
【００１８】
図４は本発明に従うホルダーをキャリアブルスタンドの支柱７に設置した例を示したものである。このようなスタンドを用いると重量のある対象物であっても簡単に設置位置を変更することが可能であり、設置位置の変更に併せて適宜に角度調整を行うことができる。
【００１９】
図５は本発明に従うホルダーにつき、天吊りタイプの支柱８に取り付けた例を示したものである。支柱８をその軸心の周りで回転できるようにしておくことにより、角度調整だけでなく必要に応じてホルダーの向きを変えることができる利点がある。
【００２０】
支持フレーム２は、図６（ａ）（ｂ）に示すような構成、すなわち、ボルト２ｂによる固定を可能とするものを適用することもでき、本発明のホルダーは上掲図１に示したものに限定はされない。
【００２１】
フック２ａについては、単に引っ掛けるものであってもよいし、引っ掛け状態でねじ止めするものであってもよい。
【００２２】
ホルダーを構成する素材は金属材料（鋼板等）を使用することができるが、本発明はこれにのみ限定はされるものではなく、用途に応じて適宜に変更される。
【００２３】
【発明の効果】
本発明によれば、壁面やスタンドに取り付けられたプラズマディスプレイ等の対象物品の角度を単純な動作でもって迅速に変更できる。
【図面の簡単な説明】
【図１】  （ａ）（ｂ）は本発明に従うホルダーの構成説明図である。
【図２】  図１に示したホルダーを傾動させた状態を示した図である。
【図３】  図１に示したホルダーの外観斜視図である。
【図４】  本発明に従うホルダーをスタンドの支柱に取り付けた例を示した図である。
【図５】  本発明に従うホルダーを天吊りタイプの支柱に取り付けた例を示した図である。
【図６】  （ａ）（ｂ）は本発明に従うホルダーの他の例を示した図である。
【図７】  従来構造になる取り付け金具の構成を示した図である。
【符号の説明】
１  ベースフレーム
１ａ  貫通口
２  支持フレーム
２ａ  フック
３  角度調整機構
３ａ  メインアーム
３ｂ  スライドアーム
４  枢軸
５  枢軸
６  枢軸
７  支柱
８  支柱
９  ベースフレーム
10  可動フレーム
11  アーム
12  開口
Ｓ  シース
Ｓ１  スライダー
Ｗ  壁面
【図１】
0004143272.tif 000002
【図２】
0004143272.tif 000003
【図３】
0004143272.tif 000004
【図４】
0004143272.tif 000005
【図５】
0004143272.tif 000006
【図６】
0004143272.tif 000007
【図７】
0004143272.tif 000008